(57)【特許請求の範囲】
【請求項１】
（Ａ）式１で示されるアルキルエーテルサルフェート型アニオン性界面活性剤を０．３〜３質量％、（Ｂ）式２で示されるアルカノールアミド型非イオン性界面活性剤を０．１〜２質量％、（Ｃ）式３で示されるアミドベタイン型両性界面活性剤または式４で示されるアルキルベタイン型両性界面活性剤を０．３〜３質量％、（Ｄ）１質量％水溶液の２５℃における粘度が５００〜６０００ｍＰａ・ｓである非イオン性高分子を０．０５〜０．８質量％、（Ｅ）単糖類または二糖類を０．０５〜１質量％、（Ｆ）グリセリンまたは重合度が２〜６であるポリグリセリンを０．３〜３質量％を含有するシャボン玉液組成物。
【化１】
0005899796.tif 000012
（式中、Ｒ１は炭素数８〜２２のアルキル基、または炭素数８〜２０のアルケニル基、Ｍ１はアルカリ金属、有機アミン、またはアンモニウム、ｎは１〜８の整数を表す。）
【化２】
0005899796.tif 000013
（式中、Ｒ２ＣＯは炭素数８〜２０のアシル基、Ｒ３は水素原子、または−Ｃ２Ｈ４ＯＨを表す。）
【化３】
0005899796.tif 000014
（式中、Ｒ４ＣＯは炭素数８〜２０のアシル基、Ｒ５、Ｒ６はそれぞれ独立して炭素数１〜３のアルキル基、ｎは２〜４の整数を表す。）
【化４】
0005899796.tif 000015
（式中、Ｒ７は炭素数８〜２０のアルキル基、または炭素数８〜２０のアルケニル基、Ｒ８、Ｒ９はそれぞれ独立して炭素数１〜３のアルキル基を表す。）
【発明の詳細な説明】
【技術分野】
【０００１】
本発明は、シャボン玉液組成物に関するものであり、さらに詳しくは、ストロー等の吹き具や針金等で作製されたリング状の器具を浸してからシャボン玉を生成するまでの間に液ダレが生じ難く使用性に優れ、かつ、子供がストロー等の吹き具を使用しても容易にシャボン玉が生成され、また大きな直径のリング状の器具を使用しても容易にシャボン玉が生成され、さらに、生成されたシャボン玉が割れ難く持続性に優れるシャボン玉液組成物に関するものである。
【背景技術】
【０００２】
シャボン玉は、子供の遊び道具や舞台・演劇の小道具の一つとして、古くから幅広く親しまれている。シャボン玉を生成させる代表的な方法として、ストロー等の吹き具を使用する方法と、針金等で作製されたリング状の器具を使用する方法がある。具体的には、前者は、吹き具の先端部をシャボン玉液に浸して皮膜を張り、後端部から息を吹き込むことでシャボン玉を生成させる方法である。後者は、リング部分をシャボン玉液に浸して皮膜を張り、手で器具を動かす、もしくは息を吹き込むことでシャボン玉を生成させる方法である。後者の方法においては、リング部分の大きさを変えることにより、様々な大きさのシャボン玉を生成させることが可能であり、リングの直径を大きくすると大きなシャボン玉を生成できる。その他の方法として、パーティー会場の演出などに大量のシャボン玉を生成させる自動発生機の使用が挙げられる。
【０００３】
シャボン玉液は、通常、界面活性剤を主な成分として作られており、市販の台所用中性洗剤や家庭用液体洗剤を水で希釈することで容易に得ることもできる。しかし、このようなシャボン玉液では、生成されたシャボン玉が割れやすく、遊び道具や舞台・演劇の小道具としては満足のいくものではない。また、リング状の器具を使用したときには、リング部分に上手く皮膜を張れずシャボン玉の生成が困難であり、さらに吹き具やリング状の器具をシャボン玉液に浸してからシャボン玉を生成するまでの間に液ダレが生じ使用性が悪い。そこで、これらの課題を解決するため、各種シャボン玉液が提案されている。
【０００４】
特許文献１では、ポリグリセリン脂肪酸エステル型非イオン性界面活性剤を含むシャボン玉液が提案されている。しかしながら、シャボン玉液の粘性が低いので、生成されたシャボン玉の持続性は十分ではなかった。そこで、特許文献２では、界面活性剤と非イオン性高分子を組み合わせたシャボン玉用組成物が提案されている。しかしながら、この組成物では、子供がストロー等の吹き具を使用したとき、吹き込む呼気量が少ないので、容易にシャボン玉を生成することができなかった。また、特許文献３では、アルキルベタイン型両性界面活性剤とカチオン化セルロース、グリセリンおよび／またはグリコールを組み合わせたしゃぼん玉液組成物が提案され、特許文献４では、アルキルエーテル型アニオン界面活性剤とアルキルエーテル型非イオン界面活性剤、両性界面活性剤、水溶性高分子を組み合わせたシャボン玉組成物が提案されている。しかしながら、これら組成物は直径の大きな（例えば１５ｃｍ以上の）リング状の器具を使用して容易にシャボン玉を生成することができず、満足のいくものではなかった。さらに、吹き具やリング状の器具を浸してからシャボン玉を生成するまでの間に液ダレが生じてしまい、使用性については改善されていなかった。
【先行技術文献】
【特許文献】
【０００５】
【特許文献１】特開平１０−３０５１７８号公報
【特許文献２】特開２００３−３０１２００号公報
【特許文献３】特開２００８−５８８７号公報
【特許文献４】特開２００９−９１３９６号公報
【発明の概要】
【発明が解決しようとする課題】
【０００６】
本発明は、上記の課題に鑑み、ストロー等の吹き具や針金等で作製されたリング状の器具を浸してからシャボン玉を生成するまでの間に液ダレが生じ難く使用性に優れ、かつ、子供がストロー等の吹き具を使用しても容易にシャボン玉が生成され、また大きな直径のリング状の器具を使用しても容易にシャボン玉が生成され、さらに、生成されたシャボン玉が割れ難く持続性に優れるシャボン玉液組成物を提供することを目的とする
【課題を解決するための手段】
【０００７】
本発明者らは、上記課題を解決するため鋭意検討した結果、（Ａ）アルキルエーテルサルフェート型アニオン性界面活性剤、（Ｂ）アルカノールアミド型非イオン性界面活性剤、（Ｃ）アミドベタイン型両性界面活性剤またはアルキルベタイン型両性界面活性剤、（Ｄ）特定の非イオン性高分子、（Ｅ）単糖類または二糖類、（Ｆ）グリセリンまたは重合度が２〜６であるポリグリセリンを特定の比率で組み合わせることで、上記課題を解決できるシャボン玉液組成物が得られることを見出し、本発明の完成に至った。
【０００８】
すなわち、本発明は、（Ａ）式１で示されるアルキルエーテルサルフェート型アニオン性界面活性剤を０．３〜３質量％、（Ｂ）式２で示されるアルカノールアミド型非イオン性界面活性剤を０．１〜２質量％、（Ｃ）式３で示されるアミドベタイン型両性界面活性剤または式４で示されるアルキルベタイン型両性界面活性剤を０．３〜３質量％、（Ｄ）１質量％水溶液の２５℃における粘度が５００〜６０００ｍＰａ・ｓである非イオン性高分子を０．０５〜０．８質量％、（Ｅ）単糖類または二糖類を０．０５〜１質量％、（Ｆ）グリセリンまたは重合度が２〜６であるポリグリセリンを０．３〜３質量％を含有するシャボン玉液組成物である。
【０００９】
【化１】
0005899796.tif 000002
（式中、Ｒ１は炭素数８〜２２のアルキル基、または炭素数８〜２０のアルケニル基、Ｍ１はアルカリ金属、有機アミン、またはアンモニウム、ｎは１〜８の整数を表す。）
【００１０】
【化２】
0005899796.tif 000003
（式中、Ｒ２ＣＯは炭素数８〜２０のアシル基、Ｒ３は水素原子、または−Ｃ２Ｈ４ＯＨを表す。）
【００１１】
【化３】
0005899796.tif 000004
（式中、Ｒ４ＣＯは炭素数８〜２０のアシル基、Ｒ５、Ｒ６はそれぞれ独立して炭素数１〜３のアルキル基、ｎは２〜４の整数を表す。）
【００１２】
【化４】
0005899796.tif 000005
（式中、Ｒ７は炭素数８〜２０のアルキル基、または炭素数８〜２０のアルケニル基、Ｒ８、Ｒ９はそれぞれ独立して炭素数１〜３のアルキル基を表す。）
【発明の効果】
【００１３】
本発明のシャボン玉液組成物によれば、ストロー等の吹き具や針金等で作製されたリング状の器具を浸してからシャボン玉を生成するまでの間に液ダレが生じ難く使用性に優れ、かつ、子供がストロー等の吹き具を使用しても容易にシャボン玉が生成され、また大きな直径のリング状の器具を使用しても容易にシャボン玉が生成され、さらに、生成されたシャボン玉が割れ難く持続性に優れるという効果が得られる。
【発明を実施するための形態】
【００１４】
以下、本発明の実施形態について説明する。本発明のシャボン玉液組成物は、下記（Ａ）成分〜（Ｆ）成分を含有し、さらに水を含有する水溶液である。なお、下記に示す各成分の含有量は使用時における含有量である。本発明のシャボン玉液組成物は、各成分が下記に示す含有量である水溶液組成物に限らず、水を添加することにより各成分を溶解して下記の含有量にする形態、下記に示す含有量よりも高濃度の水溶液組成物を水で希釈して下記の含有量にする形態の組成物をも概念的に包含するものである。
【００１５】
〔（Ａ）成分〕
本発明に用いられる（Ａ）成分は、下記式１で示されるアルキルエーテルサルフェート型アニオン性界面活性剤であり、炭素数８〜２２の直鎖または分岐のアルキル基またはアルケニル基に、１分子当たり１〜８モルのエチレンオキサイドが付加し、さらに硫酸化した構造を有するアニオン性の界面活性剤である。
【００１６】
【化５】
0005899796.tif 000006
【００１７】
式中のＲ１は炭素数８〜２２のアルキル基、または炭素数８〜２０のアルケニル基であり、好ましくは炭素数１０〜２０、より好ましくは炭素数１２〜１８の直鎖または分岐のアルキル基またはアルケニル基である。Ｍ１はアルカリ金属、有機アミン、またはアンモニウムである。アルカリ金属としては、ナトリウムやカリウム等が挙げられる。有機アミンとしては、モノエタノールアミン、ジエタノールアミン、トリエタノールアミン、アルギニン等が挙げられる。好ましいＭ１はアルカリ金属である。ｎはエチレンオキサイドの平均付加モル数であって、１〜８の整数であり、好ましくは２〜５、より好ましくは２〜３の整数である。（Ａ）成分は１種または２種以上を用いることができる。
【００１８】
上記の（Ａ）アルキルエーテルサルフェート型アニオン性界面活性剤の含有量は、組成物中に０．３〜３質量％であり、好ましくは０．５〜２質量％であり、さらに好ましくは０．７〜１．５質量％である。０．３質量％未満ではシャボン玉の持続性に欠け、３質量％を超えると子供が吹き具を使用した時にシャボン玉の生成がし難くなる。
【００１９】
〔（Ｂ）成分〕
本発明に用いられる（Ｂ）成分は、式２で示されるアルカノールアミド型の非イオン性界面活性剤である。
【００２０】
【化６】
0005899796.tif 000007
【００２１】
式中のＲ２ＣＯは炭素数８〜２０のアシル基であり、好ましくは炭素数１０〜１８、より好ましくは炭素数１２〜１８のアシル基である。また、混合脂肪酸由来のアシル基を用いることができ、混合脂肪酸としては、ヤシ油脂肪酸、パーム核油脂肪酸などが挙げられる。Ｒ３は水素原子、または−Ｃ２Ｈ４ＯＨを表す。なお、式２で示されるアルカノールアミド型非イオン性界面活性剤には、一般的に１：１型と１：２型があり、安定性の点から１：１型が好ましい。（Ｂ）成分は１種または２種以上を用いることができる。
【００２２】
上記の（Ｂ）アルカノールアミド型非イオン性界面活性剤の含有量は、組成物中に０．１〜２質量％であり、好ましくは０．３〜１．５質量％であり、さらに好ましくは０．５〜１質量％である。０．１質量％未満では使用性に欠け、２質量％を超えると子供が吹き具を使用した時にシャボン玉の生成がし難く、またシャボン玉の持続性に欠ける。
【００２３】
〔（Ｃ）成分〕
本発明に用いられる（Ｃ）成分は、式３で示されるアミドベタイン型両性界面活性剤または式４で示されるアルキルベタイン型両性界面活性剤である。
【００２４】
【化７】
0005899796.tif 000008
【００２５】
式中のＲ４ＣＯは炭素数８〜２０のアシル基であり、好ましくは炭素数１０〜１８、より好ましくは炭素数１２〜１８のアシル基である。また、混合脂肪酸由来のアシル基を用いることができ、混合脂肪酸としては、ヤシ油脂肪酸、パーム核油脂肪酸などが挙げられる。Ｒ５、Ｒ６はそれぞれ独立して炭素数１〜３のアルキル基であり、好ましくはメチル基である。ｎは２〜４の整数であり、好ましくは３である。
【００２６】
【化８】
0005899796.tif 000009
【００２７】
式中のＲ７は炭素数８〜２０のアルキル基、または炭素数８〜２０のアルケニル基であり、好ましくは炭素数１０〜１８、より好ましくは炭素数１２〜１８の直鎖または分岐のアルキル基またはアルケニル基である。Ｒ８、Ｒ９はそれぞれ独立して炭素数１〜３のアルキル基であり、好ましくはメチル基である。
【００２８】
（Ｃ）成分として、上記アミドベタイン型両性界面活性剤を１種または２種以上を用いることができ、また上記アルキルベタイン型両性界面活性剤を１種または２種以上を用いることができる。さらに、上記アミドベタイン型両性界面活性剤と上記アルキルベタイン型両性界面活性剤を併用することもできる。
【００２９】
上記の（Ｃ）アミドベタイン型両性界面活性剤またはアルキルベタイン型両性界面活性剤の含有量は、組成物中に０．３〜３質量％であり、好ましくは０．５〜２質量％であり、さらに好ましくは０．７〜１．５質量％である。０．３質量％未満ではシャボン玉の持続性に欠け、３質量％を超えると子供が吹き具を使用した時にシャボン玉の生成がし難くなる。また、（Ａ）成分と（Ｃ）成分の各含有量の合計量に対する（Ｂ）成分の含有量の配合比、すなわち（Ｂ）／｛（Ａ）＋（Ｃ）｝は、使用性、シャボン玉の持続性の点から、質量比で１／２以下が好ましい。なお、アミドベタイン型両性界面活性剤とアルキルベタイン型両性界面活性剤を併用する場合は、両者の合計量が上記規定の範囲内となるように設定される。
【００３０】
〔（Ｄ）成分〕
本発明に用いられる（Ｄ）成分の非イオン性高分子は、１質量％水溶液の２５℃における粘度が５００〜６０００ｍＰａ・ｓの高分子である。かかる非イオン性高分子としては、具体的には、キサンタンガムなどの天然ガム類、カルボキシメチルセルロース、ヒドロキシエチルセルロース、ヒドロキシプロピルメチルセルロースなどのセルロース誘導体が挙げられるが、好ましくはヒドロキシエチルセルロースである。なお、粘度は、例えば、Ｂ型粘度計を用いて、ローターＮｏ．３、１２ｒｐｍ、１００ｓ、２５℃の条件で測定して求められる。（Ｄ）成分は１種または２種以上を用いることができる。
【００３１】
上記の（Ｄ）非イオン性高分子の含有量は、組成物中に０．０５〜０．８質量％であり、好ましくは０．１〜０．６質量％であり、さらに好ましくは０．２〜０．５質量％である。０．０５質量％未満では使用性、シャボン玉の持続性が不十分であり、０．８質量％を超えると子供が吹き具を使用した時にシャボン玉の生成がし難くなる。
【００３２】
〔（Ｅ）成分〕
本発明に用いられる（Ｅ）成分の糖類は、単糖類、または単糖２分子が脱水縮合し、グリコシド結合を形成して１分子となった二糖類である。具体的には、単糖類としてはグルコース、キシロース、ガラクトース、フルクトース等が挙げられ、二糖類としてはスクロース、マルトース、ラクトース、トレハロース、サッカロース等が挙げられる。（Ｅ）成分は１種または２種以上を用いることができる。
【００３３】
上記の（Ｅ）単糖類または二糖類の含有量は、組成物中に０．０５〜１質量％であり、好ましくは０．１〜０．８質量％であり、さらに好ましくは０．２〜０．６質量％である。０．０５質量％未満では使用性に欠け、またリング状の器具を使用した時にシャボン玉が生成し難くなり、１質量％を超えるとシャボン玉の持続性が低下する。
【００３４】
〔（Ｆ）成分〕
本発明に用いられる（Ｆ）成分はグリセリンまたはポリグリセリンであり、ポリグリセリンは少なくとも１個のエーテル結合を有する重合度２〜６のグリセリンの縮合物である。重合度２〜６のグリセリンの縮合物であるポリグリセリンの具体的なものとしては、ジグリセリン、トリグリセリン、テトラグリセリン、ペンタグリセリン、ヘキサグリセリンが挙げられる。（Ｆ）成分は１種または２種以上を用いることができる。
【００３５】
上記の（Ｆ）グリセリンまたは重合度が２〜６であるポリグリセリンの含有量は、組成物中に０．３〜３重量％であり、好ましくは０．５〜２質量％であり、さらに好ましくは０．７〜１．５質量％である。０．３質量％未満では使用性が不十分であり、またリング状の器具を使用した時にシャボン玉が生成し難くなり、３質量％を超えるとシャボン玉の持続性が低下する。
【００３６】
また、（Ｅ）成分と（Ｆ）成分の各含有量は、リング状の器具を使用した場合のシャボン玉の生成性が向上することから、（Ｆ）≧（Ｅ）の関係であることが好ましい。また、（Ｅ）成分と（Ｆ）成分の各含有量の合計量は３質量％以下であることが好ましい。合計量が３％質量％を超えると、シャボン玉の持続性が低下するおそれがある。
【実施例】
【００３７】
以下、実施例および比較例を挙げて本発明をさらに具体的に説明する。
【００３８】
〔実施例１〜５および比較例１〜１０〕
シャボン玉液組成物として表１、２に示す組成物を調製し、下記の方法により評価を行った。その結果を表１、２に示す。なお、下記表中の％とあるのは、質量％を意味する。
【００３９】
（１）使用性
市販のストローを各シャボン玉液組成物に浸し、組成物の液面から離して５秒間経過までの間に、地面に落下した液滴の数を計測した。この操作を５回行い、平均値を算出した。得られた結果について、次の４段階の基準にて使用性を評価し、「◎」および「○」を使用性が良いと判定した。
◎：地面に落下した液滴の数が２滴以下。
○：地面に落下した液滴の数が２滴より多く４滴以下。
△：地面に落下した液滴の数が４滴より多く６滴以下。
×：地面に落下した液滴の数が６滴より多い。
【００４０】
（２）シャボン玉の生成性（ストロー使用時）
１０名の子供（６〜１１才）をパネラーとし、市販のストローを各シャボン玉液組成物に浸した後、吹き口から息を吹き込んだ時に、シャボン玉を容易に生成できたか否かを判断することにより評価した。評価結果は次の４段階の評価基準で表示し、「◎」および「○」を生成性が良いと判定した。
◎：１０人中８人以上が「容易に生成できた」と回答。
○：１０人中６〜７人が「容易に生成できた」と回答。
△：１０人中４〜５人が「容易に生成できた」と回答。
×：１０人中３人以下が「容易に生成できた」と回答。
【００４１】
（３）シャボン玉の生成性（リング状の器具使用時）
１０名の子供（６〜１１才）をパネラーとし、直径３０ｃｍのリング状の器具を各シャボン玉液組成物に浸した後、ゆっくりと器具を動かした時に、シャボン玉を容易に生成できたか否かを判断することにより評価した。評価結果は次の４段階の評価基準で表示し、「◎」および「○」を生成性が良いと判定した。
◎：１０人中８人以上が「容易に生成できた」と回答。
○：１０人中６〜７人が「容易に生成できた」と回答。
△：１０人中４〜５人が「容易に生成できた」と回答。
×：１０人中３人以下が「容易に生成できた」と回答。
【００４２】
（４）シャボン玉の持続性
ゴムスポイトを取り付けたガラス管の先端を各シャボン玉液組成物に浸した後、スポイトを押して生成されたシャボン玉が破裂するまでの時間を計測した。この操作を５回行い、平均値を算出した。得られた結果について、次の４段階の基準にてシャボン玉の持続性が良いか否かを評価し、「◎」および「○」を持続性が良いと判定した。なお、表１、２中の値は、算出された平均値の小数第１位を四捨五入した値である。
◎：破裂するまでの時間が１５秒以上。
○：破裂するまでの時間が１０秒以上１５秒未満。
△：破裂するまでの時間が５秒以上１０秒未満。
×：破裂するまでの時間が５秒未満。
【００４３】
【表１】
0005899796.tif 000010
【００４４】
【表２】
0005899796.tif 000011
【００４５】
※１〔成分Ａ−１は式１において、Ｒ１：Ｃ１２、Ｃ１４のアルキル基、Ｍ１：ナトリウム、ｎ＝２〕
※２〔成分Ａ−２は式１において、Ｒ１：Ｃ１２、Ｃ１４のアルキル基、Ｍ１：トリエタノールアミン、ｎ＝３〕
※３〔成分Ｂは式２において、Ｒ２ＣＯ：ヤシ油脂肪酸残基、Ｒ３：−Ｃ２Ｈ４ＯＨ〕
※４〔成分Ｃ−１は式３において、Ｒ４ＣＯ：ヤシ油脂肪酸残基、Ｒ５：メチル基、Ｒ６：メチル基、ｎ＝３〕
※５〔成分Ｃ−２は式４において、Ｒ７：Ｃ１２のアルキル基、Ｒ８：メチル基、Ｒ９：メチル基〕
※６「セロサイズＱＰ−４４００Ｈ」（ダウ・ケミカル社製、１質量％水溶液の２５℃における粘度は７００ｍＰａ・ｓである）
【００４６】
実施例１〜５より、本発明のシャボン玉液組成物は、ストロー等の吹き具や針金等で作製されたリング状の器具を浸してからシャボン玉を生成するまでの間に液ダレが生じ難く使用性に優れ、かつ、子供がストロー等の吹き具を使用しても容易にシャボン玉が生成され、また大きな直径のリング状の器具を使用しても容易にシャボン玉が生成され、さらに、生成されたシャボン玉が割れ難く持続性に優れるといった効果が得られていた。
【００４７】
一方、比較例１〜１０では十分な性能が得られていない。
比較例１では、（Ｃ）成分の配合量が本発明規定の下限値を下回っており、かつ、（Ｄ）成分が配合されていないことから、使用性およびシャボン玉の持続性において不十分であった。比較例２では、（Ａ）成分および（Ｅ）成分の配合量が本発明規定の上限値を超えていることから、ストロー使用時のシャボン玉の生成性およびシャボン玉の持続性において不十分であった。比較例３では、（Ｂ）成分および（Ｄ）成分の配合量が本発明規定の上限値を超えていることから、ストロー使用時のシャボン玉の生成性が低く、シャボン玉の持続性において不十分であった。比較例４では、（Ｂ）成分が配合されておらず、かつ、（Ｆ）成分の配合量が本発明規定の下限値を下回っていることから、使用性およびリング状の器具使用時のシャボン玉の生成性において不十分であった。比較例５では、（Ｃ）成分の配合量が本発明規定の上限値を超えており、かつ、（Ｅ）成分および（Ｆ）成分が配合されていないことから、使用性、リング状の器具使用時のシャボン玉の生成性が低く、ストロー使用時のシャボン玉の生成性およびシャボン玉の持続性において不十分であった。
【００４８】
比較例６では、（Ａ）成分、（Ｂ）成分および（Ｅ）成分が配合されていないことから、使用性が低く、リング状の器具使用時のシャボン玉の生成性およびシャボン玉の持続性において不十分であった。比較例７では、（Ｅ）成分および（Ｆ）成分が本発明規定の上限値を超えていることから、使用性、リング状の器具使用時のシャボン玉の生成性において不十分であり、シャボン玉の持続性が低かった。比較例８では、（Ａ）成分が配合されておらず、かつ、（Ｄ）成分が他の成分に置き換えられていることから、使用性、リング状の器具使用時のシャボン玉の生成性およびシャボン玉の持続性において不十分であった。比較例９では、（Ａ）成分が他の成分に置き換えられており、かつ、（Ｅ）成分が配合されていないことから、使用性が低く、リング状の器具使用時のシャボン玉の生成性およびシャボン玉の持続性において不十分であった。比較例１０では、（Ｂ）成分が他の成分に置き換えられており、かつ、（Ｆ）成分が配合されていないことから、使用性が低く、ストローやリング状の器具使用時のシャボン玉の生成性およびシャボン玉の持続性において不十分であった。